(57)【特許請求の範囲】
【請求項１】
上部の曲率半径が下部の曲率半径よりも大きくなった断面卵形形状をした排水横管に、排水管継手を介して便器の排水口が接続される便器の排水システムであって、前記排水管継手は、外周面に周方向に沿って溝部を複数設けた管本体部と、該管本体部の一方の端部外周面に設けられ、前記排水横管の周面に設けられた開口部の周縁部が全周にわたって嵌合される係合溝部を有する接続部と、前記管本体部の他方の端部に設けられ、前記便器の排水口に水密状態で圧接されるように、開口側になるにつれて順次拡径した受け口部とからなり、かつ弾性体によって構成されるとともに、前記排水横管が内部を挿通する配管ボックスに取り付けられた継手支持具によって支持されており、該継手支持具は、前記排水管継手における受け口部の端部に嵌合し、前記受け口部が便器の排水口に圧接されるように、前記受け口部の拡径に対応して順次拡径した円錐台形状の嵌合支持部を有することを特徴とする便器の排水システム。
【発明の詳細な説明】
【０００１】
【発明の属する技術分野】
本発明は、便器の排水口から排出される排水を排水横管によって水平方向に通流させるようになった便器の排水システム、および、その排水システムに使用される排水管継手に関する。
【０００２】
【従来の技術】
複数階を有する事務所ビル、ホテル等の非住宅では、通常、図９に示すように、各階の便所に設けられた水洗用の便器６１の排水口が、横方向に沿って配置された排水横管６２に接続されており、各階の排水横管６２が、各階を縦方向に挿通する排水縦管６３に接続されている。排水横管６２には、各階の便所に設けられた小便器６４、洗面台６５、掃除流し６６からの排水も流入するようになっている。
【０００３】
排水横管６２は、通常、実開平２−１１６５７５号公報に開示されているように、断面円形状の合成樹脂管等によって構成されており、便器６１の背面に設けられた配管ボックス内を水平状態で挿通している。そして、配管ボックス内にて排水横管６２から分岐した分岐管が便器６１の排水口に接続されている。
【０００４】
排水横管６２から分岐した分岐管は、特開平８−２０９７８６号公報、特開平８−４０８８号公報等に開示されているように、壁面に固定されたソケットの一方の端部に嵌合されて支持されるようになっている。また、ソケットの他方の端部には、便器６１の排水口が挿入されるようになっており、ソケットと便器６１の排水口とが、パッキンあるいはコーキングによって水密状態とされている。
【０００５】
【発明が解決しようとする課題】
便器６１の排水口に接続される排水横管６２は、通常、断面円形状になっており、このために、便器６１から排水横管６２内に排水が流入する際に、排水が上下方向に回流した状態になる。排水横管６２内にて排水が上下方向に回流した状態になると、排水横管６２内の空気が排水横管６２内を通流することができずに、排水トラップを通って排出する、いわゆる排水トラップの破封が発生するおそれがある。
【０００６】
このような排水トラップの破封を防止するためには、排水横管６２に沿って通気管６８を設けて、排水横管６２内の空気を通気管６８内を通して排出する必要がある。通気管６８は、排水縦管６３に沿って垂直に配置された通気縦管６７または排水縦管６３から上方に延長された伸頂通気管６９に接続されている。
【０００７】
このように、断面円形状をした排水横管６２では、排水横管６２内の空気を通流させるために、排水横管６２とは別に通気管６８を設けなければならず、その結果、通気管６８、通気縦管６７を配管するために広い空間が必要になるという問題がある。
【０００８】
さらに、非住宅の便所においては、便器６１、小便器６４、洗面台６５、掃除流し６６等の各衛生器具の配管は多岐にわたり、通常は、基準階７０のように、各衛生器具の通気管６８を１本にまとめて通気縦管６７や伸頂通気管６９へ接続することが困難である場合が多々ある。このような場合には、特殊階７１のように、便器６１と洗面台６５とを１本の排水横管６２ａに接続し、小便器６４と掃除流し６６とを他の１本の排水横管６２ｂに接続して、各排水横管６２ａおよび６２ｂを排水縦管６３に接続することが行われる。このような特殊階７１では、各排水横管６２ａおよび６２ｂに接続された通気管７２を、一旦、天井７３方向へ立ち上げて、通気管７２を通気縦管６７に接続しなければならず、そのために、通気管７２専用の配管ルート、スペース等のための広い空間が必要になるという問題がある。
【０００９】
また、排水横管６２から分岐した分岐管と便器６１の排水口とを、壁面に固定されたソケットによって接続する構成では、ソケットとソケット内に挿入される便器の排水口とが確実に水密状態で嵌合されるように、それぞれを高精度で製造する必要がある。さらに、便器６１が壁面に対して固定されるようになっているために、便器６１を壁面に固定する際に、ソケットと便器６１の排水口との水密状態が損なわれないように、十分に注意しなければならない。また、便器６１の排水口とソケットとを、狭いスペースにて、パッキン、コーキング等によって水密状態としなければならず、その作業も容易でないという問題もある。
【００１０】
本発明は、このような従来の問題を解決するものであり、その目的は、通気管を配置することなく、排水トラップの破封を防止することができる排水システムを提供することにある。本発明の他の目的は、排水横管と便器の排水口とを容易に水密状態で接続することができる排水管継手を提供することにある。
【００１１】
【課題を解決するための手段】
本発明の便器の排水システムは、上部の曲率半径が下部の曲率半径よりも大きくなった断面卵形形状をした排水横管に、排水管継手を介して便器の排水口が接続される便器の排水システムであって、前記排水管継手は、外周面に周方向に沿って溝部を複数設けた管本体部と、該管本体部の一方の端部外周面に設けられ、前記排水横管の周面に設けられた開口部の周縁部が全周にわたって嵌合される係合溝部を有する接続部と、前記管本体部の他方の端部に設けられ、前記便器の排水口に水密状態で圧接されるように、開口側になるにつれて順次拡径した受け口部とからなり、かつ弾性体によって構成されるとともに、前記排水横管が内部を挿通する配管ボックスに取り付けられた継手支持具によって支持されており、該継手支持具は、前記排水管継手における受け口部の端部に嵌合し、前記受け口部が便器の排水口に圧接されるように、前記受け口部の拡径に対応して順次拡径した円錐台形状の嵌合支持部を有することを特徴とするものである。
【００１７】
【発明の実施の形態】
以下、本発明の実施の形態を、図面に基づいて詳細に説明する。
【００１８】
図１は、本発明の便器の排水システムの実施の形態の一例を示す概略構成図である。この便器の排水システムでは、複数階を有する事務所ビル等における各階の便所に設けられた便器２１に、１本の排水横管２３が接続されており、各階に設けられたそれぞれの排水横管２３が、各階を垂直方向に挿通する１本の排水縦管２４にそれぞれ接続されている。この排水横管２３には、各階の便所における小便器２５、洗面台２６、掃除流し２７等からの排水も流入するようになっている。排水縦管２４と最上階の排水横管２３との接続部には、排水縦管２４内の空気を通流させるための伸頂通気管２８が上方に延出するように接続されている。この便器の排水システムにおいては、図９に示す通気縦管６７、通気横管６８は設けられていない。しかも、図９に示すように、複数の排水横管が設けられた特殊階７１が存在する場合にも、通気管７２が不要となっている。
【００１９】
図２は、本発明の便器の排水システムの要部の概略構成を分解して示す斜視図、図３は、その断面図である。この排水システムでは、例えば、所定の階に設けられた便器２１の背面の壁際に沿って配管ボックス１０がそれぞれ設けられており、配管ボックス１０内を便器２１に接続される１本の排水横管２３が横方向に挿通している。
【００２０】
配管ボックス１０は、縦長であって前後方向の厚さが薄くなった直方体状に構成されており、前面を覆う前面パネル１１と、上面を覆う上面パネル１２とを有している。配管ボックス１０内には、配管ボックス１０の前方に配置された便器２１にそれぞれ給水する１本の給水管２２も水平に挿通している。
【００２１】
給水管２２の水は、配管ボックス１０の前面パネル１１に設けられた給水用貫通孔１１ａを挿通する分岐管および給水バルブ（いずれも図示せず）を介して、便器２１の内部に供給されるようになっている。また、排水横管２３は、排水管継手３０を介して、前面パネル１１の下部に設けられた排水用貫通孔１１ｂ内に挿入される便器２１の排水口２１ｂ（図３参照）に接続されている。便器２１は、配管ボックス１０の前面パネル１１に背面が突き合わされて、一対のボルト２１ｃによって前面パネル１１に取り付けられている。前面パネル１１には、便器２１を前面パネル１１に取り付けるための各ボルト２１ｃがそれぞれ挿通する一対のボルト貫通孔１１ｃが、排水用貫通孔１１ｂの左右の各側方にそれぞれ設けられており、また、便器２１の背面にも一対のボルト挿通孔２１ｄが設けられている。
【００２２】
配管ボックス１０内に配置された排水横管２３は、上部の曲率半径が、下部の曲率半径よりも大きくなった断面卵形形状をしている。このような排水横管２３としては、例えば、積水化学工業株式会社製の商品名「ＥＧＰ１５０」が好適に使用される。
【００２３】
図４は、配管ボックス１０の前面パネル１１を取り外した状態の正面図、図５はその断面図、図６は、その要部の斜視図である。配管ボックス１０には、前面パネル１１を支持する一対の縦フレーム１３と、上面パネルを支持する上面フレーム１４とを有する。上面フレーム１４は、長方形の枠状に構成されている。上面フレーム１４の前側縁部には、下方に向かって直角に屈曲された支持片１４ｂが設けられている。各縦フレーム１３の上端部は、支持片１４ｂの背面に沿って配置されており、上面フレーム１４が各縦フレーム１３の上端部によって水平に支持されている。各縦フレーム１３の下端部は、高さ調整ボルト１８によって高さ調整されるようになっている。
【００２４】
一対の縦フレーム１３の下部間には、ベース板１５が垂直状態で架設されており、このベース板１５に、排水管継手３０が支持される継手支持具１６が取り付けられている。図７は、ベース板１５および継手支持具１６の正面図である。ベース板１５には、左右の各側部１５ａおよび上部１５ｂによって囲まれて下方に開口した開口部１５ｃが設けられており、左右の各側部１５ａが各縦フレーム１３の下部にそれぞれ取り付けられている。
【００２５】
継手支持具１６は、ベース板１５の開口部１５ｃに沿って垂直に配置された平板状をしており、左右の各側部１６ａが、ベース板１５の各側部１５ａに取り付けられている。左右の各側部１６ａには、各側部１６ａから前方に向かって直角に屈曲した側壁面１６ｅをそれぞれ介して、ベース板１５における開口部１５ｃの前方にて垂直に配置された中央支持面１６ｂが連続して設けられている。継手支持具１６における中央支持面１６ｂには、前方になるにつれて順次拡径する円錐台形の筒状になった嵌合支持部１６ｃが、前方に突出した状態で設けられている。嵌合支持部１６ｃ内には、排水横管２３に取り付けられた排水管継手３０の前端部が嵌合状態で支持されるようになっている。嵌合支持部１６ｃの前端部には、全周にわたって外方に突出した正方形状のフランジ部１６ｄが設けられている。継手支持具１６の嵌合支持部１６ｃは、配管ボックス１０の前面パネル１１に設けられた排水用貫通孔１１ｂ内に挿入されるようになっている。
【００２６】
図８（ａ）は、継手支持具１６の一方の側部の拡大正面図、図８（ｂ）は、そのＡ−Ａ線における断面図である。継手支持具１６の中央支持面１６ｂにおける左右の各側部１６ａに近接した部分には、上下方向に長く延びる長孔１６ｆがそれぞれ設けられており、各長孔１６ｆ内にナット部材１７がそれぞれ設けられている。ナット部材１７は、長孔１６ｆ内を挿通する円筒状のナット本体部１７ａと、ナット本体部１７ａにおける背面側の端部に取り付けられた回り止め板１７ｂとを有している。ナット本体部１７ａは、前端面が開放されており、その内周面にネジ溝が形成されている。ナット本体部１７ａには、便器２１の背面を配管ボックス１０の前面パネル１１に取り付けるボルト２１ｃがネジ結合されるようになっている。回り止め板１７ｂは、継手支持具１６における中央支持面１６ｂの背面に沿って垂直に配置されており、長孔１６ｆの幅方向寸法より大きな外形を有する円板状であって、継手支持具１６の側壁面１６ｅにそれぞれ近接した側部が垂直に切欠された形状に構成されている。従って、各ナット部材１７が回転しようとする場合には、回り止め板１７ｂにおける垂直になった部分が、側壁面１６ｅにそれぞれ当接して、各ナット部材１７の回転がそれぞれ防止される。
【００２７】
ナット本体部１７ａにおける回り止め板１７ｂに近接した外周面には、溝部１７ｃが設けられており、この溝部１７ｃ内に半円リング状の抜け止め具１８が嵌合状態で取り付けられている。抜け止め具１８の外形は、長孔１６ｆの幅方向寸法よりも大きくなっており、抜け止め具１８によって、ナット部材１７が長孔１６ｆから脱落することが防止されている。
【００２８】
継手支持具１６の嵌合支持部１６ｃ内には、図５に示すように、排水横管２３に後端部が取り付けられた排水管継手３０の前端部が支持されている。この排水管継手３０は、円筒状をした管本体部３１と、継手支持具１６の嵌合支持部１６ｃ内にて支持されるように管本体部３１の前端部に設けられた受け口部３２と、管本体部３１の他方の端部に排水横管２３の端部に取り付けられるように設けられた接続部３３とを有している。排水管継手３０は、管本体部３１、受け口部３２、接続部３３が、ゴム、エラストマー等の弾性を有する材料によって一体的に成形されている。
【００２９】
管本体部３１は、受け口部３２が設けられた前端部が、接続部３３が設けられた後端部よりも若干小径であって、接続部３３側になるにつれて順次拡径した円錐台形状に構成されている。管本体部３１の外周面には、接続部３３に連続した端部を除いて、周方向に沿って全周にわたって設けられた複数の溝部３１ａが軸方向に一定の間隔をあけて設けられている。
【００３０】
継手支持具１６に接続される受け口部３２は、管本体部３１から離れるにつれて順次拡径しており、その開口端部が外側に膨出するように、全周にわたって厚肉に構成された止水部３２ａになっている。受け口部３２の開口端面は、全周にわたって凹状に窪んでいる。
【００３１】
受け口部３２は、配管ボックス１０の前面パネル１１に設けられた排水用貫通孔１１ｂ内に挿入されて、前面パネル１１の前方に配置された便器２１の排水口２１ｂが内部に嵌合されている。そして、継手支持具１６における円錐台形状の嵌合支持部１６ｃ内に嵌合されて、止水部３２ａが嵌合支持部１６ｃによって、排水口２１ｂの外周面に押し付けられている。嵌合支持部１６ｃによって排水口２１ｂの外周面に押し付けられた止水部３２ａは、嵌合支持部１６ｃと排水口２１ｂとの間を止水状態としている。
【００３２】
排水横管２３に接続される接続部３３は、端面開口部に全周にわたって外方に突出するように設けられた第１フランジ部３３ａと、この第１フランジ部３３ａから管本体部３１側に適当な間隔をあけた位置に全周にわたって外方に突出するように設けられた第２フランジ部３３ｂとを有している。第２フランジ部３３ｂの外周側の先端は、第１フランジ部３３ａ側に位置するように、全体にわたって傾斜した状態になっており、また、第１フランジ部３３ａも、第２フランジ部３３ｂと同様の傾斜状態になっている。これら第１フランジ部３３ａと第２フランジ部３３ｂとの間に、全周にわたって係合溝部３３ｃがそれぞれ形成されている。係合溝部３３ｃを形成する第１フランジ部３３ａおよび第２フランジ部３３ｂの間隔は、排水横管２３の肉厚よりも若干小さくなっている。
【００３３】
排水横管２３の周面には、接続部３３の端面開口部に設けられた第１フランジ部３３ａが挿入される円形状の開口部２３ａが設けられており、この開口部２３ａを通って、第１フランジ部３３ａが排水横管２３内に挿入されている。そして、第１フランジ部３３ａおよび第２フランジ部３３ｂの間の係合溝部３３ｃ内に、開口部２３ａの外周縁部が全周にわたって嵌入されている。このような状態では、排水横管２３内に挿入された第１フランジ部３３ａが、排水横管２３内周面における開口部２３ａの外周縁部に全周にわたって密着されるとともに、第２フランジ部３３ｂが、排水横管２３の外周面における開口部２３ａの外周縁部に全周にわたって密着している。
【００３４】
このような構成の便器の排水システムでは、配管ボックス１０内を挿通する排水横管２３と、便器２１とが、排水管継手３０によって連結される。この場合、排水横管２３の周面には、便器２１の配置位置に対応して、開口部２３ａが形成されて、その開口部２３ａ内に、排水管継手３０における接続部３３の第１フランジ部３３ａが挿入される。そして、排水管継手３０における接続部３３の第１フランジ部３３ａと第２フランジ部３３ｂとの間の係合溝部３３ｃが、排水横管２３の開口部２３ａ周縁部が全周にわたって嵌入される。
【００３５】
他方、配管ボックス１０の一対の縦フレーム１３の下部に、ベース板１５の各側部１５ａがそれぞれ取り付けられて、ベース板１５に継手支持具１６が取り付けられる。そして、継手支持具１６における円錐台形状の嵌合支持部１６ｃ内に、排水横管２３に接続部３３が取り付けられた排水管継手３０の受け口部３２が挿入される。
【００３６】
このような状態になると、縦フレーム１３に前面パネル１１が垂直に取り付けられる。この場合、前面パネル１１に設けられた排水用貫通孔１１ｂ内に、継手支持具１６の嵌合支持部１６ｃが挿入されて、嵌合支持部１６ｃ内に位置する受け口部３２の端部が前面パネル１１の前方に露出した状態とされる。
【００３７】
その後、前面パネル１１の前方に便器２１が配置され、便器２１の背面が前面パネル１１に突き合わされる。そして、便器２１の背面に設けられた一対のボルト挿通孔２１ｄ（図１参照）が、前面パネル１１に設けられた一対のボルト貫通孔１１ｃに対向されて、便器２１の各ボルト挿通孔２１ｄおよび前面パネル１１の各ボルト貫通孔１１ｃ内にボルト２１ｃがそれぞれ挿通される。前面パネル１１の各ボルト貫通孔１１ｃ内をそれぞれ貫通したボルト２１ｃは、継手支持具１６に設けられた各ナット部材１７のナット本体部１７ａにネジ結合される。
【００３８】
この場合、各ナット部材１７は、継手支持具１６に設けられた長孔１６ｆに沿って上下方向にスライドし得るようになっているために、各ボルト２１ｃに対してそれぞれ容易に位置合わせすることができる。そして、各ナット部材１７のナット本体部１７ａが各ボルト２１ｃにそれぞれネジ結合される際には、各ナット部材１７は、回り止め板１７ｂが継手支持具１６の各側壁面１６ｅにそれぞれ当接することによって回り止めされるために、各ナット部材１７のナット本体部１７ａに、各ボルト２１ｃが円滑にネジ結合される。
【００３９】
このように、排水横管２３の開口部２３ａに対して接続部３３が止水状態で装着された排水管継手３０は、便器２１を継手支持具１６に取り付けることによって、継手支持具１６の嵌合支持部１６ｃ内に嵌合状態で支持された受け口部３２が、便器２１の排水口２１ｂに水密状態に接続されることになる。
【００４０】
このようにして組み立てられた便器の排水システムでは、便器２１の排水口２１ｂを通って排水管継手３０内に流入した排水が、その排水管継手３０を通って、断面卵形状の排水横管２３内に流入する。このとき、排水横管２３は、下部の曲率半径が上部の曲率半径よりも小さくなっていることにより、排水横管２３内に流入する排水は、排水横管２３の下部において速い流速で流れることになるために、排水横管２３の上部に排水が充満するおそれがなく、排水横管２３の上部に確実に空間が形成される。従って、排水横管２３の上部に、空気が通流するための空間が形成されるために、排水横管２３に対して通気管を接続する必要がない。
【００４１】
【発明の効果】
本発明の便器の排水システムは、このように、排水横管が、上部の曲率半径が下部の曲率半径よりも大きくなった断面卵形形状をしているために、排水時に排水横管内に確実に通気空間が形成され、通気管を設けることなく、排水トラップを破封を防止することができる。また、本発明の排水管継手は、便器の排水口に対して容易に止水状態で接続することができる。
【図面の簡単な説明】
【図１】本発明の便器の排水システムの実施の形態の一例を示す概略構成図である。
【図２】その便器の排水システムの要部の概略構成を分解して示す斜視図である。
【図３】その排水システムの断面図である。
【図４】その排水システムに設けられた配管ボックスの前面パネルを取り外した状態の正面図である。
【図５】その断面図である。
【図６】その要部の斜視図である。
【図７】配管ボックス内に配置されたベース板および継手支持具の正面図である。
【図８】（ａ）は、継手支持具の一方の側部の拡大正面図、（ｂ）は、そのＡ−Ａ線における断面図である。
【図９】従来の便器の排水システムの一例を示す概略構成図である。
【符号の説明】
１０  配管ボックス
１１  前面パネル
１２  上面パネル
１３  縦フレーム
１４  上面フレーム
１５  ベース板
１６  継手支持具
１６ａ  側部
１６ｂ  中央支持面
１６ｃ  嵌合支持部
１６ｄ  フランジ部
１６ｅ  側壁面
１７  ナット部材
２１  便器
２１ｂ  排水口
２２  給水管
２３  排水横管
３０  排水管継手
３１  管本体部
３２  受け口部
３２ａ  止水部
３３  接続部
３３ａ  第１フランジ部
３３ｂ  第２フランジ部
３３ｃ  係合溝部
【図１】
0003542010.tif 000002
【図２】
0003542010.tif 000003
【図３】
0003542010.tif 000004
【図４】
0003542010.tif 000005
【図５】
0003542010.tif 000006
【図６】
0003542010.tif 000007
【図７】
0003542010.tif 000008
【図８】
0003542010.tif 000009
【図９】
0003542010.tif 000010